(57)【要約】【課題】釣糸を取付け易く、使用時には容易に外れない釣糸掛止具を提供する。【解決手段】穂先糸１４が掛止され、釣竿の先端を構成する釣糸掛止具２０は、竿本体１２の先端に軸線回りに回転自在に設けられ、軸線方向に延在する穂先部材２２を備えている。穂先部材２２の先端には、この穂先部材２２に軸線との交差方向に固定され、軸線方向に貫通する案内孔３２を有するガイド部材３０が配設される。また穂先部材２２には、フック部材４０の一端部４２が固定され、その他端部４４はガイド部材３０の配設側とは反対側を指向させた状態となっている。フック部材４０は、穂先部材２２側に弾力的に付勢され、常には閉成した釣糸捕捉領域Ｓを形成している。【選択図】図１
2006246724.tif 000002
【特許請求の範囲】
【請求項１】
竿本体(12)の先端に軸線回りに回転自在に設けられ、軸線方向に延在する穂先部材(22)と、
前記穂先部材(22)に軸線との交差方向に固定され、軸線方向に貫通する案内孔(32)を有するガイド部材(30)と、
前記穂先部材(22)に一端部(42,56,64)が配設されると共に、他端部(44,58,66)が前記ガイド部材(30)の配設側と反対側を指向させた状態で弾力的に付勢され、常には閉成した釣糸捕捉領域(S)を形成しているフック部材(40,54,62)とから構成した
ことを特徴とする釣糸掛止具。
【請求項２】
前記フック部材(62)の一端部(64)は、ヒンジ部材(68)を介して他端部(66)を穂先部材(22)に対して接離可能に配設され、該他端部(66)は弾性部材(70)により穂先部材(22)に当接するように付勢されている請求項１記載の釣糸掛止具。
【請求項３】
前記フック部材(40,54,62)は、前記ガイド部材(30)に対して前記穂先部材(22)の軸線方向に整列するように位置している請求項１または２記載の釣糸掛止具。
【請求項４】
前記フック部材(40,54,62)の釣糸捕捉領域(S)は、釣糸(14)の直径より大きな隙間が画成されている請求項１〜３の何れかに記載の釣糸掛止具。
【請求項５】
前記フック部材(40)における他端部(44)の先端には、前記穂先部材(22)から離間する方向に拡開した案内部(44a)が形成されている請求項１〜４の何れかに記載の釣糸掛止具。
【請求項６】
請求項１〜５の何れかに記載の釣糸掛止具(20,50,60)を装着したことを特徴とする釣竿。
【発明の詳細な説明】
【技術分野】
【０００１】
この発明は、竿先に装着されて、釣糸を掛止する釣糸掛止具およびこれを用いた釣竿に関するものである。
【背景技術】
【０００２】
例えば鮎釣り等の渓流釣りに用いられる釣竿としては、リールを使用しないで竿先に配設された釣糸掛止具に釣糸を直接掛止するのべ竿がある(例えば、特許文献１参照)。前記釣糸掛止具は、一端が釣竿本体に対して回転自在に配設されると共に、他端にフック状に形成した釣糸結着部を備えている。そして、環状(チチワ状)に結んだ釣糸の端部を釣糸結着部に引っ掛けた後、釣糸結着部をゴム等の弾力性を有する筒状保持体で被覆することで、釣糸が釣糸結着部から外れないよう構成してある。
【特許文献１】特開平７−２７４７７９号公報(図６)
【発明の開示】
【発明が解決しようとする課題】
【０００３】
ところで前記釣糸掛止具は、前記筒状保持体が経時的に劣化して弾力性を失ってしまうために、釣糸結着部からずれて釣糸が外れてしまう虞れが指摘される。また魚がかかった際に、釣糸結着部には前方(釣糸の繰出し方向)に力が加わると共に、上下左右方向(釣糸結着部の半径方向外方)にもランダムに力がかかる。すなわち、釣糸結着部に直接力がかかるので釣糸結着部が変形してしまったり、上下左右方向に引張られた釣糸が筒状保持体を釣糸結着部から退避する方向へずらすから、釣糸結着部から釣糸が外れてしまうことがある。しかも釣竿の穂先は、直径５ｍｍにも満たない細径であるので、釣糸を外れ難くするために釣糸掛止具を複雑な構成にすると、釣糸の取付けまたは取外しが煩雑となる弊害を招く。
【０００４】
すなわち本発明は、従来の技術に係る釣糸掛止具に内在する前記問題に鑑み、これらを好適に解決するべく提案されたものであって、簡単な構成で、釣糸を取付け易く、使用時には容易に外れない釣糸掛止具およびこれを用いた釣竿を提供することを目的とする。
【課題を解決するための手段】
【０００５】
前記課題を克服し、所期の目的を達成するため、本発明に係る釣糸掛止具は、
竿本体の先端に軸線回りに回転自在に設けられ、軸線方向に延在する穂先部材と、
前記穂先部材に軸線との交差方向に固定され、軸線方向に貫通する案内孔を有するガイド部材と、
前記穂先部材に一端部が配設されると共に、他端部が前記ガイド部材の配設側と反対側を指向させた状態で弾力的に付勢され、常には閉成した釣糸捕捉領域を形成しているフック部材とから構成したことを特徴とする。
請求項１の発明によれば、釣糸を釣糸捕捉領域に容易に挿脱することができると共に、使用時に釣糸が釣糸捕捉領域から不用意に外れることを抑制し得る。
【０００６】
請求項２の発明は、請求項１記載の発明に係る釣糸掛止具において、前記フック部材の一端部は、ヒンジ部材を介して他端部を穂先部材に対して接離可能に固定され、該他端部は弾性部材により穂先部材に当接するように付勢される。
請求項２の発明によれば、フック部材を使用者の操作により穂先部材に対して接離させることができるから、フック部材に対する釣糸の挿脱をより容易になし得る。
【０００７】
請求項３の発明は、請求項１または請求項２記載の発明に係る釣糸掛止具において、前記フック部材は、前記ガイド部材に対して前記穂先部材の軸線方向に整列するように位置している。
請求項３の発明によれば、釣糸を介して穂先部材にかかる力をガイド部材で効果的に分散することができるから、フック部材に対する負荷を軽減し得る。
【０００８】
請求項４の発明は、請求項１〜３の何れかに記載の発明に係る釣糸掛止具において、前記フック部材の釣糸捕捉領域には、釣糸の直径より大きな隙間が画成される。
請求項４の発明によれば、フック部材の釣糸捕捉領域に隙間を画成することで、釣糸がある程度移動し得る余地があるから、釣糸の傷付きを防止し得る。
【０００９】
請求項５の発明は、請求項１〜４の何れかに記載の発明に係る釣糸掛止具において、前記フック部材における他端部の先端には、前記穂先部材から離間する方向に拡開した案内部が形成される。
請求項５の発明によれば、フック部材における他端部の先端に、案内部を形成することで、釣糸のフック部材への取付け作業を容易にし得る。
【００１０】
請求項６の発明は、請求項１〜５の何れかに記載の発明に係る釣糸掛止具を装着したことを特徴とする釣竿である。
請求項６の発明によれば、釣糸を挿脱し易く、使用時に釣糸が外れ難い釣竿を得ることができる。
【発明の効果】
【００１１】
本発明に係る釣糸掛止具およびこれを用いた釣竿によれば、簡単な構成で、釣糸を取付け易く、使用時には釣糸を外れ難くすることができる。
【発明を実施するための最良の形態】
【００１２】
次に、本発明に係る釣糸掛止具およびこれを用いた釣竿につき、好適な実施例を挙げて、添付図面を参照して以下に説明する。なお実施例の釣竿では、グリップから穂先へ向かう方向を前方と云い、穂先からグリップへ向かう方向を後方と云う。
【実施例１】
【００１３】
図３に示すように、実施例の釣竿１０は、竿本体１２の先端(グリップ１０ａと反対側の端部)に、穂先糸(釣糸)１４を掛止するための釣糸掛止具２０が装着され、この釣糸掛止具２０が釣竿１０の穂先をなしている。穂先糸１４は、その一端を折り返して環状(チチワ状)に形成されて、この環状部１４ａを大きくしたり、小さくしたりすることで、釣糸全体の長さを調節し得るようになっている。また穂先糸１４には、釣針や錘等の仕掛けを備えたテグス(釣糸)１６が連結される。
【００１４】
図１または図２に示すように、釣糸掛止具２０は、竿本体１２に対して軸線回りに回転自在に設けた穂先部材２２と、この穂先部材２２に固定したガイドリング(ガイド部材)３０と、穂先部材２２に配設したフック部材４０とから構成される。穂先部材２２は、竿本体１２の軸線方向に延在して、撓曲性を有する丸棒状の穂先部２４を備え、該穂先部２４は竿本体１２の先端に固定した保持部２６により竿本体１２の軸線と整列した状態で軸線周りに回転自在に保持される。穂先部２４には、後端部(竿本体１２側の端部)に本体部分と比較して半径方向に拡径した係止片２４ａが形成され、この係止片２４ａの直径は、中空の円筒体である保持部２６の内径より小径に設定される。また保持部２６は、その内径が竿本体１２の先端の挿入を許容する寸法に設定され、竿本体１２の挿入側となる後端面は開放している。保持部２６における前端面の中央には、係止片２４ａの直径より小径で、穂先部２４の挿通を許容する孔部２８が開設されている。
【００１５】
前記穂先部材２２は、係止片２４ａを保持部２６の内部に臨ませた状態で、穂先部２４が孔部２８に挿通されて保持部２６の前端面から軸線方向に沿って前方へ突出される。この状態で、保持部２６の後端面から竿本体１２の先端を挿入して、接着剤やカシメ等により保持部２６が竿本体１２の先端に固定される。すなわち、保持部２６の内部に臨んだ係止片２４ａの軸線方向への移動は、竿本体１２の先端と保持部２６の前端面とで規制されると共に、保持部２６の内部に係止片２４ａが軸線回りに自由回転可能に保持されることで、穂先部２４は軸線回りに回転可能となっている。
【００１６】
前記穂先部材２２における穂先部２４の先端には、ガイドリング３０が軸線との交差方向に固定されている。ガイドリング３０は、軸線方向に貫通する案内孔３２を有し、この案内孔３２は穂先糸１４における環状部１４ａの挿通を許容する寸法に設定される。すなわちガイドリング３０は、案内孔３２の中心が穂先部材２２の軸線から半径方向外方に偏倚した位置となるように穂先部２４に配設される。そして、ガイドリング３０の回転に伴って、穂先部材(穂先部)２２が回転するようになっている。
【００１７】
前記フック部材４０は、金属や樹脂等の弾力性を有する線材をヘアピン状に屈曲形成したものであって、穂先部材２２における穂先部２４の周面に、ガイドリング３０の後方(竿本体１２側)に位置して固定されている。なお実施例１では、フック部材４０がガイドリング３０と保持部２６との略中間に位置している。フック部材４０は、その一端部４２が穂先部２４の周面に軸線方向に沿って固定され、他端部４４をガイドリング３０の配設側と反対側(竿本体１２側)に向けて指向させた状態になっている。すなわちフック部材４０は、ヘアピンの湾曲部分に当たる閉塞端がガイドリング３０側(前方)に位置すると共に、穂先糸１４を挿脱する開放端が竿本体１２側(後方)に位置している。またフック部材４０は、ガイドリング３０に対して穂先部材２２の軸線方向に整列する位置に配置されている。
【００１８】
フック部材４０の他端部４４は、穂先部材２２に対して接離するよう弾性変形可能であり、常には穂先部材２２側に付勢されて一端部４２に当接して開放端を塞いで、閉塞端に閉成した釣糸捕捉領域Ｓが形成されている(図１(ａ)参照)。またフック部材４０は、釣糸捕捉領域Ｓに穂先糸１４の直径より大きな隙間が画成されるように湾曲形成されている。なお、フック部材４０における他端部４４の先端には、穂先部材２２から離間する方向に拡開する案内部４４ａが形成される。
【００１９】
〔実施例１の作用〕
次に、実施例１に係る釣糸掛止具の作用について説明する。先ず、釣糸掛止具２０に対して穂先糸１４を取付けるときには、穂先糸１４の環状部１４ａをガイドリング３０の案内孔３２に前方から通し、環状部１４ａをフック部材４０の開放端から挿入する。このときフック部材４０の開放端は、他端部４４の先端に一端部４２から離間するよう傾斜形成した案内部４４ａにより拡開しているから、環状部１４ａを容易に引っ掛けることができる。そして、穂先糸１４を前方に引張ると、穂先糸１４の挿通に伴いフック部材４０の他端部４４が弾性変形して半径方向外方に撓曲して一端部４２から離間することで、穂先糸１４がフック部材４０の閉塞端に形成された釣糸捕捉領域Ｓに挿通される。環状部１４ａを挿通した後、フック部材４０の他端部４４は一端部４２に弾力的に当接して開放端を塞ぐことで、閉塞端が釣糸捕捉領域Ｓとして機能する(図１(ａ)参照)。
【００２０】
釣竿１０の使用に際して、穂先糸１４に対して前方または穂先部材２２の半径方向外方へ力が加わっても、環状部１４ａはフック部材４０の閉塞端で掛止される。また、穂先糸１４に力が加わっていない自由状態では、環状部１４ａが緩んで後方(フック部材４０の開放端側)に移動することがあるが、開放端は他端部４４が一端部４２に弾力的に当接しているので、環状部１４ａの移動は当接部分で規制し得る。このように、釣竿１０の使用に際して、穂先糸１４に何れの方向の力が加わっても、フック部材４０の釣糸捕捉領域Ｓから環状部１４ａが不用意に外れることはない。
【００２１】
釣竿１０の操作や魚がかかったりして、穂先糸１４が穂先部材２２の半径方向外方に引張られたときは、フック部材４０の手前にガイドリング３０が介在しているから、これらの力をガイドリング３０が受けて穂先部２４が弾力的に撓曲することで分散し得る。すなわち、フック部材４０に対して直接的に過大な負荷がかからず、フック部材４０の変形を防止し得る。また穂先部材２２は、軸回りに回転自在に構成されているから、穂先糸１４の半径方向への移動に伴ってガイドリング３０が回転するので、穂先糸１４が穂先部材２２またはガイドリング３０に絡まることはない。このとき、穂先部材２２の回転に伴ってフック部材４０も回転するから、フック部材４０とガイドリング３０との相対的な位置関係は変化しないので、フック部材４０に穂先糸１４が絡まることもない。しかも、フック部材４０の釣糸捕捉領域Ｓには、隙間を画成してあるから、穂先糸１４の環状部１４ａが引張りに応じて移動する余地があるので、フック部材４０と穂先糸１４との摩擦を軽減し、穂先糸１４の傷付きを防止し得る。
【００２２】
次に、釣糸掛止具２０から穂先糸１４を取外す際について説明する。穂先糸１４を緩めた状態で、環状部１４ａを軸線方向に沿って後方へ移動させることで、フック部材４０の他端部４４が弾性変形して半径方向外方に向けて撓曲し、一端部４２と他端部４４との当接部分が離間するから、釣糸捕捉領域Ｓが開放されて環状部１４ａのフック部材４０からの取外しが許容される(図１(ｂ)参照)。すなわち、穂先糸１４に力がかかっていない状態で、環状部１４ａを後方へ意図的に引張ることで、フック部材４０の釣糸捕捉領域Ｓから穂先糸１４を容易に取外すことができる。
【００２３】
このように釣糸掛止具２０は、穂先糸１４を取付け易く、釣竿１０の使用時には、不用意に外れることがなく、しかも必要に応じて容易に穂先糸１４を取外すことができる。従って、使用者が手袋等をした不自由な状態であっても、穂先糸１４を釣糸掛止具２０に挿脱し得る好適な作業性と、釣竿１０の使用時における穂先糸１４の外れ難さとを両立することができる。しかも、釣糸掛止具２０を装着した釣竿１０は、穂先糸１４が挿脱し易いので取扱い性に優れる。
【実施例２】
【００２４】
図４は、実施例２に係る釣糸掛止具５０を示す側断面図である。なお、実施例２の釣糸掛止具５０の基本的な構成は、実施例１と略同一であるので、説明の便宜上、同一の構成要素については同一の符号を使用して詳細な説明は省略する。
【００２５】
実施例２の穂先部材２２は、保持部２６の内部に配設されたボールベアリング等の軸受５２によって、軸線方向に回転自在に保持される。また実施例２のフック部材５４は、略中間に湾曲部５４ａを形成した線材であって、一端部５６が軸線方向に沿って穂先部２４の周面(穂先部材２２)に固定されると共に、湾曲部５４ａを挟んだ他端部５８は、後方(ガイドリング３０と反対側)に指向させた状態で、穂先部材２２に対して弾力的に接離可能となっている。フック部材５４の他端部５８は、穂先糸１４における環状部１４ａのフック部材５４への挿入に際して開放端となり、常には穂先部材２２側に付勢されて、穂先部２４の周面に当接して開放端を閉塞している。このとき、フック部材５４の湾曲部５４ａと穂先部２４の周面との間に形成される閉塞端側に、挿通した穂先糸１４の環状部１４ａの移動を規制する釣糸捕捉領域Ｓが形成される。なお釣糸捕捉領域Ｓには、穂先糸１４の直径より大きくなるように湾曲部５４ａが形成される。実施例２の釣糸掛止具５０は、実施例１と同様の作用効果を示すが、穂先部２４を軸受５２で保持しているから、穂先部２４は穂先糸１４の引張り方向に応じてより円滑に回転し得る。
【実施例３】
【００２６】
図５は、実施例３に係る釣糸掛止具６０を示す側断面図である。なお実施例３の釣糸掛止具６０では、フック部材６２以外の構成は実施例１と同一であるので、同一の符号を使用して説明は省略する。
【００２７】
実施例３のフック部材６２は、線材の一端部６４における所定部位がヒンジ部材６８を介して穂先部２４(穂先部材２２)の周面に回動可能に配設され、他端部６６は後方(ガイドリング３０と反対側)に指向される。フック部材６２の他端部６６は、ヒンジ部材６８により穂先部２４の周面に対して接離可能に構成され、フック部材６２に対する穂先糸１４の挿脱を許容する開放端となる。閉塞端となるフック部材６２の一端部６４は、他端部６６が穂先部２４に当接したもとで、穂先糸１４の環状部１４ａの移動を規制する釣糸捕捉領域Ｓとして機能する。また一端部６４は、ヒンジ部材６８を挟んで他端部６６の指向方向と反対側に延出する操作片６４ａを備えている。フック部材６２の釣糸捕捉領域Ｓは、線材を湾曲形成することで、他端部６６の穂先部２４への当接時に、穂先糸１４の直径より大きな隙間が画成される。ヒンジ部材６８には、ばね等の弾性部材７０が介挿され、他端部６６は常には弾性部材７０により穂先部材２２側に付勢されて、穂先部２４の周面に当接するようになっている。そして、操作片６４ａを穂先部材２２側に変位することで、弾性部材７０の付勢に抗して、ヒンジ部材６８を中心として他端部６６が穂先部材２２から離間する方向に回動して、開放端が開放される。
【００２８】
実施例３の釣糸掛止具６０は、実施例１と同様の作用効果を示し、これに加えて操作片６４ａの回動操作により他端部６６を開放する方向へ回動し得るから、穂先糸１４の挿脱をより容易になし得る。
【００２９】
(変更例)
実施例１〜３の釣糸掛止具は、以下のように変更することができる。
(１)実施例では、保持部と穂先部の係止片との係合構造により穂先部材を回転可能に構成したが、穂先部材を回転自在に保持し得る構成であればその他のものを採用し得る。
(２)実施例１で説明したフック部材における他端部の先端に設けられる案内部の構成は、実施例２および実施例３にも適用し得る。
(３)実施例１〜３では、ガイドリングを穂先部の先端に設けたが、穂先部の中途に固定してもよい。このとき、フック部材はガイドリングより竿本体側に位置するように配設される。
【図面の簡単な説明】
【００３０】
【図１】本発明の好適な実施例１に係る釣糸掛止具を一部破断して示す側面図であって、(ａ)は穂先糸を掛止した状態であり、(ｂ)は穂先糸の挿脱時の状態である。
【図２】実施例１の釣糸掛止具を一部破断して示す概略斜視図である。
【図３】実施例１の釣糸掛止具が装着された釣竿を示す概略図である。
【図４】実施例２の釣糸掛止具を一部破断して示す側面図である。
【図５】実施例３の釣糸掛止具を一部破断して示す側面図であって、(ａ)は穂先糸を掛止した状態であり、(ｂ)は穂先糸の挿脱時の状態である。
【符号の説明】
【００３１】
１２ 竿本体，２０ 釣糸掛止具，２２ 穂先部材，３２ 案内孔，
３０ ガイドリング(ガイド部材)，４０ フック部材，４２ 一端部，４４ 他端部，
４４ａ 案内部，５０ 釣糸掛止具，５４ フック部材，５６ 一端部，５８ 他端部，
６０ 釣糸掛止具，６２ フック部材，６４ 一端部，６６ 他端部，６８ ヒンジ部材，
７０ 弾性部材， Ｓ 釣糸捕捉領域
【図１】
2006246724.tif 000003
【図２】
2006246724.tif 000004
【図３】
2006246724.tif 000005
【図４】
2006246724.tif 000006
【図５】
2006246724.tif 000007